(57)【要約】【課題】簡単な構造で、散水孔からの残水の水垂れを抑制することが出来るシャワーヘッドを提供する。【解決手段】内部に通水路４を有するシャワーヘッド本体２と、通水路４の先端部に配置され、複数の散水孔２８が設けられた散水板６とを備え、散水板６のシャワーヘッド本体２の先端側に配置された散水孔２８は、空気の流入を抑制するように他の散水孔２８よりも長さが長い長散水孔３０として形成されていることを特徴としている。【選択図】図１
2012011264.tif 000002
【特許請求の範囲】
【請求項１】
内部に通水路を有するシャワーヘッド本体と、
前記通水路の先端部に配置され、複数の散水孔が設けられた散水板とを備え、
前記散水板のシャワーヘッド本体の先端側に配置された散水孔は、空気の流入を抑制するように他の散水孔よりも長さが長い長散水孔として形成されていることを特徴とするシャワーヘッド。
【請求項２】
前記散水板は、前記散水板の中心から前記シャワーヘッド本体の先端側に向かって広がるように配置された扇型の領域が厚く形成されており、この扇型の領域内に散水孔を形成することにより、長さの長い長散水孔が構成されている、請求項１に記載のシャワーヘッド。
【請求項３】
前記長散水孔は、前記シャワーヘッド本体の先端に近いものほど段階的に長さが長く形成されている、請求項１又は２に記載のシャワーヘッド。
【請求項４】
前記長散水孔は、シャワーヘッド本体の内部方向に散水孔径が拡径されるように構成されている、請求項１乃至３に記載のシャワーヘッド。
【発明の詳細な説明】
【技術分野】
【０００１】
本発明は、シャワーヘッドに関する。
【背景技術】
【０００２】
従来、通水路を内部に有するシャワーヘッド本体と、その通水路の先端部に複数の散水孔が配置された散水板とを備えたシャワーヘッドが知られている。使用者が、シャワーを使用した後、吐水を停止して、シャワーヘッドをシャワーハンガー等の受け部に掛けると、シャワーヘッド本体内部の残水が散水板の散水孔から流出し、水垂れを生じるという問題があった。
【０００３】
これに対し、特開2002-355581号公報（特許文献１）記載のシャワーヘッドにおいては、散水板の裏側全面に網を設け、網目によって生じる表面張力を利用してシャワーヘッド内の残水の流出を防ぎ、水垂れを抑制しようとするシャワーヘッドが提案されている。
【先行技術文献】
【特許文献】
【０００４】
【特許文献１】特開2002-355581
【発明の概要】
【発明が解決しようとする課題】
【０００５】
しかし、特許文献１記載の散水板の裏側全面に網を設ける構造では、一般に、シャワーヘッド本体と散水板の間に網を挟み込む構造が採用されているが、このような構造を採用すると、シャワーヘッド本体と散水板の間のシールすべき箇所が多くなり、漏水し易いという問題がある。また、特許文献１記載の構造では、網を散水板の裏面に沿って配置する必要があるが、通常使用される散水板は平面ではなく、湾曲するなど複雑な散水板形状に合わせるために網の形状も複雑になるという問題がある。さらに、網の形状が複雑になるとシール性の確保が困難になる。また、シール性が十分に確保されていないと、シャワーヘッド内に空気が流入しやすくなり、これが残水の水垂れを引き起こすという問題もある。
【０００６】
従って、本発明は、簡単な構造で、散水孔からの残水の水垂れを抑制することができるシャワーヘッド提供することを目的としている。
【課題を解決するための手段】
【０００７】
上記の目的を達成するために、本発明は、内部に通水路を有するシャワーヘッド本体と、通水路の先端部に配置され、複数の散水孔が設けられた散水板とを備え、散水板のシャワーヘッド本体の先端側に配置された散水孔は、空気の流入を抑制するように他の散水孔よりも長さが長い長散水孔として形成されていることを特徴としている。
止水時において、使用者が先端側を上にしてシャワーヘッドをシャワーヘッド受け部に配置すると、シャワーヘッド本体内の散水板の裏側に残存している湯水には、その自重により、散水板下部の散水口から流出しようとする力が働くと共に、湯水の流出と入れ替わりに、散水板上部の散水口からは外気がシャワーヘッド本体内に流入しようとする。上記のように構成された本発明においては、シャワーヘッド本体の先端側に配置された散水孔は、他の散水孔よりも長さが長く形成された長散水孔として形成されているので、長散水孔内に残存している湯水を散水孔内部に維持しようとする表面張力が大きくなる。これにより、散水板上部に配置された長散水孔からの外気の侵入が抑制される。これに伴い、散水板下部の散水孔から散水板の裏側に残存している湯水が流出し、水垂が発生するのを抑制することができる。
【０００８】
本発明において、好ましくは、散水板は、散水板の中心からシャワーヘッド本体の先端側に向かって広がるように配置された扇型の領域が厚く形成されており、この扇型の領域内に散水孔を形成することにより、長さの長い長散水孔が構成されていることを特徴としている。
このように構成された本発明においては、散水板は、散水板の中心からシャワーヘッド本体の先端側に向かって広がるように配置された扇型の領域が厚く形成されており、この扇型の領域内に長散水孔が形成されている。このように、散水板の厚く形成された領域に散水孔を設けることにより長散水孔が形成されているので、シャワーヘッドを誤って落下させたときなどの衝撃により、長散水孔が破損しにくく、耐久性に優れたシャワーヘッドを構成することができる。
【０００９】
本発明において、好ましくは、長散水孔は、シャワーヘッド本体の先端に近いものほど段階的に長さが長く形成されていることを特徴としている。
このように構成された本発明においては、止水時において、使用者が先端側を上にしてシャワーヘッドをシャワーヘッド受け部に配置した際、散水孔内の残水を引き込もうとする力が強くなる先端に近い長散水孔ほど長さが長く形成されているので、水垂をより効果的に抑制することができる。
また、長散水孔は、段階的に長さが長くなるように形成されているので、吐水時においてシャワーヘッド本体内の湯水が撹拌され、これにより、シャワーヘッド本体内に侵入した空気が排出されやすくなる。このため、止水時においてシャワーヘッド本体内の散水板の背面側に溜まっている空気を少なくすることができる。散水板の背面側に溜まっている空気が多い場合には、長散水孔内に残存している湯水が流出しやすくなるので、外気が長散水孔を通って流入しやすくなるが、背面側に溜まる空気を少なくすることにより、水垂を更に抑制することができる。
【００１０】
本発明において、好ましくは、長散水孔は、シャワーヘッド本体の内部方向に散水孔径が拡径されるように構成されていることを特徴としている。
このように構成された本発明においては、長散水孔は、他の散水孔よりも長さが長く形成されているので、他の散水孔よりも水が長散水孔を通って吐水されにくい。そこで、シャワーヘッド本体の内部方向に散水孔径が拡径されるように長散水孔を構成することにより、水が長散水孔に入りやすく、長散水孔と他の散水孔からの吐水を均一にすることができる。
【発明の効果】
【００１１】
本発明の、シャワーヘッドによれば、簡単な構造で、散水孔からの残水の水垂れを抑制することが出来る。
【図面の簡単な説明】
【００１２】
【図１】本発明の実施形態によるシャワーヘッドをシャワーヘッド受け部に設置した場合のシャワーヘッド及びシャワーヘッド受け部の断面図である。
【図２】本発明の実施形態によるシャワーヘッドの断面図である。
【図３】本発明の実施形態によるシャワーヘッドに散水板を取り付ける様子を示す分解図である。
【図４】本発明の実施形態による散水板の斜視図である。
【発明を実施するための形態】
【００１３】
以下、添付図面を参照して、本発明の実施形態によるシャワーヘッドを説明する。
図１は、本発明の実施形態によるシャワーヘッドをシャワーヘッド受け部に設置した場合のシャワーヘッド及びシャワーヘッド受け部の断面図である。図２は、本発明の実施形態によるシャワーヘッドの断面図である。図３は、本発明の実施形態によるシャワーヘッドに散水板を取り付ける様子を示す分解図である。
【００１４】
図１乃至図３に示すように、本発明の実施形態による、シャワーヘッド１は、湯水を先端から吐水させるシャワーヘッド本体２と、シャワーヘッド本体２の通水路４の先端に散水板６とを有する。
シャワーヘッド１は、使用者がシャワーを使用した後に、シャワーヘッド本体２の先端が、シャワーヘッド本体２の根元（給水管１０接続側）より上部になるようにシャワーヘッド受け部８に配置されるようになっている。以下、シャワーヘッド本体２の先端とは、シャワーヘッド本体２をシャワーヘッド受け部８に設置した場合のシャワーヘッド受け部８より上部の最遠部とする。
【００１５】
シャワーヘッド本体２は、内部に給水管１０から散水板６まで連通する通水路４を有する。シャワーヘッド本体２は、内部に通水路４を有する中空形状であり、使用者が持って使用される、或いは、シャワーヘッド受け部８に設置したまま使用される。
通水路４は、シャワーヘッド本体２に接続される給水管１０を介して供給された湯水を、シャワーヘッド本体２の給水管１０接続側からシャワーヘッド本体２の先端の散水板６まで通水させるように形成される。通水路４は、通水路４を通る湯水がシャワーヘッド本体２の先端の近傍で、散水板６に流入するように、その通水路径が拡がって形成されている。また、通水路４は、湯水を散水板６の吐水方向に向かって方向付けするように、シャワーヘッド本体２の先端の近傍で、通水路４の向きが変化されて（例えば上下逆さにされた「Ｊ」の字型のような向きに）形成される。ここでは説明のため、通水路４のうち一部の散水板６背面側の空間を、キャビティ５とする。通水路４が、シャワーヘッド本体２の先端近傍のキャビティ５内でゆるやかに曲がり、シャワーヘッド本体２の先端に湯水の流れを導きやすくなっているので、湯水がシャワーヘッド本体２の散水板６の先端側にも導かれやすくなっている。キャビティ５は、吐水時にキャビティ５内に空気が残存しにくいように湯水を導くことができる形状に形成されている。吐水停止時には、キャビティ５は、湯水が満たされた状態で残存され、湯水が満たされた状態を維持する役割も果たす。
シャワーヘッド受け部８は、壁１２に支持部取付けねじ１４で固定して設置され、シャワーヘッド本体２又は、シャワーヘッド本体２及びシャワーヘッド本体２と接続された給水管１０、をシャワーヘッド本体２の散水板６がシャワーヘッド受け部８より上部になるように、支持するように形成される。
【００１６】
図３に示すように、散水板６は、散水板取付けねじ１６によって、パッキン１８を介してシャワーヘッド本体２に取付けられる。
取付けねじ１６は、シャワーヘッド本体２と散水板６の簡便な取り付けを可能にし、散水板６及びパッキン１８を容易にメンテナンス可能にしている。
パッキン１８は、シャワーヘッド本体２と散水板６の間での水漏れや空気の流入を抑制する。
【００１７】
以下に、図４により、本実施形態の散水板６の構造を詳細に説明する。図４は、本発明の実施形態による散水板の斜視図である。  
散水板６は、中心部が外側に湾曲した略円盤形状に形成される。散水板６は、シャワーヘッド本体２の先端で通水路４から吐水しようとする方向に向けて配置され、複数の散水孔２８を有している。
散水板６は、中心ねじ孔縁部２０に貫通したねじ孔２２が形成され、ねじ孔２２に螺合されるねじ１６によってシャワーヘッド本体２に取付けられる。
散水板６は、シャワーヘッド本体２の内部方向の通水路４に面する散水板通水路面２４とシャワーヘッド本体２から外側の吐水方向に面する散水板吐水面２６とを有する。散水板通水路面２４は、散水板吐水面２６と概ね平行な湾曲を有する面形状に形成されているが、散水板からの均一な吐水のために異なる傾斜又は平面に形成されてもよい。散水板吐水面２６は、その吐水面の中心部がやや球状に隆起して形成されている。
【００１８】
散水板６は、散水板６の中心からシャワーヘッド本体２の先端側に広がる扇型の領域が厚く形成されており、それ以外の領域は略一定の厚さに形成されている。他に、散水板６は、シャワーヘッド本体２の先端側に近いほど厚さが厚くなるように形成されていてもよく、散水板６の中心からシャワーヘッド本体２の先端に向かう所定の部分より先端側の厚さが厚く形成されていてもよい。散水板６は、散水板６の厚く形成された部分が通水路４内に向かって突出するように形成されている。散水板６の厚く形成された部分の突出領域は、通水路４から給水されるキャビティ５内の湯水を撹拌させて、キャビティ５内部にある空気を湯水とともに吐水させることができる。さらに、散水板６の一部分のみに厚く形成された領域部分が形成されると、通水路４から給水されるキャビティ５内の湯水が、散水板６の一部分のみに厚く形成された部分に衝突して水流が乱され撹拌されて、キャビティ５内部にある空気を湯水とともに排出させることができる。
【００１９】
このように、本実施形態においては、散水板６は上部のみが厚く形成されているが、例えば、散水板全周に亘って外側に向かうほど厚くなるように散水板を形成した場合には、キャビティ内の空気が排出されにくく、止水時にキャビティ内に空気が残りやすくなる。キャビティ内に多量の空気が残ると、外気が散水孔からキャビティ内へ流入しやすくなるので、散水板下部の散水孔からの残水の流出が発生しやすくなる。従って、散水板は、その一部分のみを厚く形成するのが好ましい。
【００２０】
散水孔２８は、散水板吐水面２６側の外部空気と、通水路４とを連通する通路を形成するので、散水孔２８に水が満たされている場合は、外部空気の通水路への流入を防ぐ封水のような役割も果たす。
【００２１】
散水孔２８は、中心ねじ孔縁部２０の周りに放射状に多数形成される。散水孔２８は、散水板６を散水板通水路面２４から散水板吐水面２６に厚さ方向に貫通して形成される。散水孔２８は散水板６を貫通して形成されるので、散水板６の厚さが厚い領域では、散水板６の厚さが厚くされていない他の領域の散水孔２８よりも長さが長く形成された長散水孔３０が形成される。
従って、散水板６のシャワーヘッド本体２の先端側に配置された散水孔２８は、散水板の厚さに応じて、他の散水孔よりも長さが長く形成された長散水孔３０となっている。他の実施形態として、シャワーヘッド本体２の先端側に配置された散水孔２８が、外部空気が流入しにくい散水孔形状である場合も含む。
【００２２】
長散水孔３０は、散水孔２８の平均の長さよりも長い散水孔として定義する。長散水孔３０の長さは、例えば、散水孔２８の長さの約２．５倍、２．０倍及び１．５倍等のように形成される。長散水孔３０は、シャワーヘッド本体２の先端に近いほど長さが長く形成されている。長散水孔３０は、シャワーヘッド本体２の先端に近いほど長さが長くなるように、散水板６の中心から同心円状に並ぶ長散水孔３０の一部を一塊として、同心円環状の階段状の領域に形成されている。長散水孔３０の長さを同心円状の階段状に変化させる場合、長散水孔３０の長さは、例えば、散水孔２８の長さの約２．５倍、２．０倍及び１．５倍等のような３段階の長さに変化させて形成される。長散水孔３０は、散水孔２８に比べて、長散水孔３０内に残存している湯水を散水孔内部に維持しようとする大きな表面張力を有することができる。
【００２３】
長散水孔３０は、シャワーヘッド本体２の内部方向に散水孔径が拡径されるように構成されている。他の実施形態では、長散水孔３０は、シャワーヘッド本体２の内部方向に散水孔径が縮径されるように構成されていてもよい。長散水孔３０は、シャワーヘッド本体２の内部方向に散水孔径が縮径されて、散水孔内の残水がシャワーヘッド本体２の内部通水路に流入しにくくなるので、散水孔内の残水の内部通水路への流入に続いて、空気が流入することを抑制しやすくなる。
【００２４】
次に、上述した本発明の実施形態によるシャワーヘッド１の作用効果を説明する。
上述した本発明の実施形態によるシャワーヘッド１によれば、止水時において、使用者が先端側を上にしてシャワーヘッド１をシャワーヘッド受け部８に配置すると、シャワーヘッド本体２内の散水板６の裏側（背面側）のキャビティ５内に残存している湯水には、その自重により、散水板６下部の散水孔２８から流出しようとする力が働くと共に、湯水の流出と入れ替わりに、散水板６上部の散水孔２８、３０からは外気がシャワーヘッド本体２のキャビティ５内に流入しようとする。上記のように構成された本実施形態においては、シャワーヘッド本体２の先端側に配置された散水孔３０は、他の散水孔２８よりも長さが長く形成された長散水孔３０として形成されているので、長散水孔３０内に残存している湯水を散水孔３０内部に維持しようとする表面張力が大きくなる。さらに、長散水孔３０内の湯水が、キャビティ５内に向かって引かれても、長散水孔３０は散水孔長さが長いので、長散水孔３０内に維持されやすい。これにより、散水板６上部に配置された長散水孔３０からの外気の侵入が抑制される。これに伴い、散水板６下部の散水孔２８から散水板６の裏側のキャビティ５内に残存している湯水が流出し、水垂が発生するのを抑制することができる。
【００２５】
上述した本発明の実施形態によるシャワーヘッド１によれば、散水板６は、散水板６の中心からシャワーヘッド本体２の先端側に向かって広がるように配置された扇型の領域が厚く形成されており、この扇型の領域内に長散水孔３０が形成されている。このように、散水板６の厚く形成された領域に散水孔を設けることにより長散水孔３０が形成されているので、シャワーヘッド１を誤って落下させたときなどの衝撃により、長散水孔３０が破損しにくく、耐久性に優れたシャワーヘッドを構成することができる。
【００２６】
上述した本発明の実施形態によるシャワーヘッド１によれば、止水時において、使用者が先端側を上にしてシャワーヘッド１をシャワーヘッド受け部８に配置した際、散水孔２８内の残水を引き込もうとする力が強くなる先端に近い長散水孔３０ほど長さが長く形成されているので、水垂をより効果的に抑制することができる。
また、長散水孔３０は、段階的に長さが長くなるように形成されているので、吐水時においてシャワーヘッド本体２内の湯水が撹拌され、これにより、シャワーヘッド本体２内に侵入した空気が排出されやすくなる。このため、止水時においてシャワーヘッド本体２内の散水板６の背面側に溜まっている空気を少なくすることができる。散水板６の背面側に溜まっている空気が多い場合には、長散水孔３０内に残存している湯水が流出しやすくなるので、外気が長散水孔３０を通って流入しやすくなるが、背面側に溜まる空気を少なくすることにより、水垂を更に抑制することができる。
【００２７】
上述した本発明の実施形態によるシャワーヘッド１によれば、長散水孔３０は、他の散水孔２８よりも長さが長く形成されているので、他の散水孔２８よりも水が長散水孔３０を通って吐水されにくい。そこで、シャワーヘッド本体２の内部方向に散水孔径が拡径されるように長散水孔３０を構成することにより、水が長散水孔３０に入りやすく、長散水孔３０と他の散水孔２８からの吐水を均一にすることができる。
【符号の説明】
【００２８】
１            シャワーヘッド
２            シャワーヘッド本体
４            通水路
６            散水板
８            シャワーヘッド受け部
１０          給水管
１２          壁
１８          パッキン
２０          孔縁部
２２          ねじ孔
２４          散水板通水路面
２６          散水板吐水面
２８          散水孔
３０          長散水孔
【図１】
2012011264.tif 000003
【図２】
2012011264.tif 000004
【図３】
2012011264.tif 000005
【図４】
2012011264.tif 000006